(57)【要約】【課題】  電源プラグ部の操作時における操作性，円滑性及び安定性の向上、更には長期使用によるガタ付きの発生を防止するとともに、ピン接続部とブラシ接続部が接触しない不具合を回避して十分な信頼性を確保する。【解決手段】  電源プラグ部４に、一対のブレード部５ａ，５ｂとそれぞれ導通する一対のピン接続部６ａ，６ｂを当該電源プラグ部４における回動軸部７の両側にそれぞれ突出させて設け、かつアダプタ本体部３に、各ピン接続部６ａ，６ｂの周面に接触可能なブラシ接続部８ａ，８ｂを設けるとともに、回動軸部７上に、電源プラグ部４を少なくとも使用位置Ｘｓ又は格納位置Ｘｒに停止可能なクリック機構部９を設ける。【選択図】  図１
2007103304.tif 000002
【特許請求の範囲】
【請求項１】
ケーシングに収容されたアダプタ本体部と、このアダプタ本体部に付設し、前記アダプタ本体部から突出する使用位置又はこの使用位置から９０°回動させることにより前記アダプタ本体部に格納する格納位置に選択的に変位可能な電源プラグ部とを備えるＡＣアダプタにおいて、前記電源プラグ部に、一対のブレード部とそれぞれ導通する一対のピン接続部を当該電源プラグ部における回動軸部の両側にそれぞれ突出させて設け、かつ前記アダプタ本体部に、各ピン接続部の周面に接触可能なブラシ接続部を設けるとともに、前記回動軸部上に、前記電源プラグ部を少なくとも前記使用位置又は前記格納位置に停止可能なクリック機構部を設けたことを特徴とするＡＣアダプタ。
【請求項２】
前記ピン接続部は、前記使用位置及び前記格納位置を含めて前記ブラシ接続部に常時接触するように、前記回動軸部の中心位置に配することを特徴とする請求項１記載のＡＣアダプタ。
【請求項３】
前記ピン接続部は、前記使用位置で前記ブラシ接続部に接触し、かつ前記格納位置で前記ブラシ接続部から離間するように、前記回動軸部の中心から径方向にオフセットした位置に配することを特徴とする請求項１記載のＡＣアダプタ。
【発明の詳細な説明】
【技術分野】
【０００１】
本発明は、アダプタ本体部から突出する使用位置又はアダプタ本体部に格納する格納位置に選択的に変位可能な電源プラグ部を備えるＡＣアダプタに関する。
【背景技術】
【０００２】
従来、ＡＣ電源をＤＣ電源に変換する機能を有するＡＣアダプタであって、特に、アダプタ本体部に電源プラグ部を付設し、この電源プラグ部をアダプタ本体部から突出する使用位置又はアダプタ本体部に格納する格納位置に選択的に変位可能となるように構成した携帯可能な小型のＡＣアダプタとしては、特許第３３２９２５８号公報で開示されるＡＣアダプタがが知られている。
【０００３】
同公報に開示されるＡＣアダプタは、ＡＣ電源をＤＣ電源に変換する回路部品を収容したケースと、ＡＣ電源に接続するための導電性ブレードと、このブレードの一部をモールドした絶縁性プラグとを備え、ブレードはケースの一部に収納された状態とケースから突出した状態との間で９０°回転可能に軸支されたＡＣアダプタであって、プラグは、ＡＣ電源に接続するためのブレードの端子部を突出させる端面と、この端面に直交して互いに対向する第１面及び第２面と、第１面からブレードと直交する方向に突出した第１回転軸と、第２面から第１回転軸とは逆方向に突出した第２回転軸と、この第２回転軸の端面から突出したブレードの接点部とを備え、ケース内には、プラグが突出した状態にあるときに、ブレードの接点部の側面と弾性的に接触する導電性接触子が設けられたものであり、特に、回転式プラグの摩擦防止を企図している。
【特許文献１】特許第３３２９２５８号
【発明の開示】
【発明が解決しようとする課題】
【０００４】
しかし、上述した従来のＡＣアダプタは、次のような問題点があった。
【０００５】
第一に、ブレードの接点部の側面に導電性接触子が弾性的に接触するも、軸方向一方に位置する第２回転軸側にのみ弾性力が付与されるため、絶縁性プラグの軸方向左右（第１回転軸と第２回転軸）に付加される応力がアンバランスとなり、プラグ操作時における操作性，円滑性及び安定性を低下させる要因になるとともに、長期の使用によりガタ付きを発生しやすい。
【０００６】
第二に、ブレードの接点部の側面と導電性接触子が接触する回転角度範囲が狭い範囲に限られるため、例えば、使用時において、プラグが電源コンセントに十分に差し込まれず、プラグの回転角度が途中の角度で停止したような場合、ブレードの接点部の側面と導電性接触子が接触しない虞れがあり、信頼性に難がある。
【０００７】
本発明は、このような背景技術に存在する課題を解決したＡＣアダプタの提供を目的とするものである。
【課題を解決するための手段】
【０００８】
本発明は、上述した課題を解決するため、ケーシング２に収容されたアダプタ本体部３と、このアダプタ本体部３に付設し、アダプタ本体部３から突出する使用位置Ｘｓ又はこの使用位置Ｘｓから９０°回動させることによりアダプタ本体部３に格納する格納位置Ｘｒに選択的に変位可能な電源プラグ部４とを備えるＡＣアダプタ１を構成するに際して、電源プラグ部４に、一対のブレード部５ａ，５ｂとそれぞれ導通する一対のピン接続部６ａ，６ｂを当該電源プラグ部４における回動軸部７の両側にそれぞれ突出させて設け、かつアダプタ本体部３に、各ピン接続部６ａ，６ｂの周面に接触可能なブラシ接続部８ａ，８ｂを設けるとともに、回動軸部７上に、電源プラグ部４を少なくとも使用位置Ｘｓ又は格納位置Ｘｒに停止可能なクリック機構部９を設けたことを特徴とする。
【０００９】
この場合、発明の好適な態様により、ピン接続部６ａ，６ｂは、使用位置Ｘｓ及び格納位置Ｘｒを含めてブラシ接続部８ａ，８ｂに常時接触するように、回動軸部７の中心位置に配してもよいし、或いは使用位置Ｘｓでブラシ接続部８ａ，８ｂに接触し、かつ格納位置Ｘｒでブラシ接続部８ａ，８ｂから離間するように、回動軸部７の中心から径方向にオフセットした位置に配してもよい。
【発明の効果】
【００１０】
このような構成を有する本発明に係るＡＣアダプタ１によれば、次のような顕著な効果を奏する。
【００１１】
（１）  電源プラグ部４に、一対のブレード部５ａ，５ｂとそれぞれ導通する一対のピン接続部６ａ，６ｂを当該電源プラグ部４における回動軸部７の両側にそれぞれ突出させて設け、かつアダプタ本体部３に、各ピン接続部６ａ，６ｂの周面に接触可能なブラシ接続部８ａ，８ｂを設けたため、電源プラグ部４における回動軸部７の両側に応力が付加されることによる左右のバランスが確保され、電源プラグ部４の操作時における操作性，円滑性及び安定性を向上させることができるとともに、長期使用によるガタ付きの発生を防止することができる。
【００１２】
（２）  ピン接続部６ａ，６ｂとブラシ接続部８ａ，８ｂが接触する角度範囲が狭い範囲に限られる不具合が解消されるため、例えば、使用時において、電源プラグ部４が電源コンセントに十分に差し込まれず、電源プラグ部４が途中の回動角度で停止した場合であっても、ピン接続部６ａ，６ｂとブラシ接続部８ａ，８ｂが接触しない不具合を回避でき、もって十分な信頼性を確保することができる。
【００１３】
（３）  好適な態様により、ピン接続部６ａ，６ｂを、使用位置Ｘｓ及び格納位置Ｘｒを含めてブラシ接続部８ａ，８ｂに常時接触するように、回動軸部７の中心位置に配すれば、ピン接続部６ａ，６ｂとブラシ接続部８ａ，８ｂが接触しない不具合をより確実に回避でき、更なる高信頼性を確保できる。
【００１４】
（４）  好適な態様により、ピン接続部６ａ，６ｂを、使用位置Ｘｓでブラシ接続部８ａ，８ｂに接触し、かつ格納位置Ｘｒでブラシ接続部８ａ，８ｂから離間するように、回動軸部７の中心から径方向にオフセットした位置に配すれば、特に、オフセット量を選定するなどにより、ピン接続部６ａ，６ｂとブラシ接続部８ａ，８ｂが接触する角度範囲を任意に設定でき、ピン接続部６ａ，６ｂとブラシ接続部８ａ，８ｂが接触する角度範囲が狭い範囲に限られる不具合を解消しつつ、格納位置Ｘｒでピン接続部６ａ，６ｂとブラシ接続部８ａ，８ｂの接続を解除する機能を享受できる。
【発明を実施するための最良の形態】
【００１５】
次に、本発明に係る最良の実施形態を挙げ、図面に基づき詳細に説明する。
【００１６】
まず、本実施形態に係るＡＣアダプタ１の構成について、図１〜図５を参照して説明する。
【００１７】
ＡＣアダプタ１は、大別してアダプタ本体部３とこのアダプタ本体部３に付設した電源プラグ部４を備える。
【００１８】
電源プラグ部４は、合成樹脂等の絶縁材料により一体形成したプラグ基部１１を有し、このプラグ基部１１から一対のブレード部５ａ，５ｂと一対のピン接続部６ａ，６ｂが突出する。プラグ基部１１は偏平なブロック状に形成し、比較的面積の大きい一対の側面１１ａ，１１ｂには、それぞれ円柱状の凸軸部７ａ，７ｂを一体形成する。この凸軸部７ａ及び７ｂは、側面１１ａ，１１ｂに対して直角方向の軸心を有する回動軸部７を構成する。また、一方の凸軸部７ａの端面には、後述するクリック機構部９を構成するクリック係合部１２を一体形成する。
【００１９】
そして、プラグ基部１１における凸軸部７ａ（クリック係合部１２）及び凸軸部７ｂの中心から一対のピン接続部６ａ，６ｂがそれぞれ突出するとともに、プラグ基部１１における比較的面積の小さい先端面１１ｆからは一対のブレード部５ａ，５ｂが突出する。一対のブレード部５ａ，５ｂは、商用ＡＣ１００〔Ｖ〕の電源コンセントに差込むことによりアダプタ本体部３にＡＣ電源を入力させる機能を有する。この場合、プラグ基部１１の内部では、一方のピン接続部６ａと一方のブレード部５ａが導通するとともに、他方のピン接続部６ｂと他方のブレード部５ｂに導通する。また、各ピン接続部６ａ，６ｂ及び各ブレード部５ａ，５ｂは、プラグ基部１１の成形時にインサート成形により当該プラグ基部１１に埋設する。なお、先端面１１ｆの反対側に位置する背面１１ｒは、図３に示すように、凸軸部７ａ，７ｂに対して同心となる半円状に形成する。
【００２０】
他方、アダプタ本体部３は、図４及び図５に示すように、合成樹脂等の絶縁材料により偏平な直方体状に形成したケーシング２を備え、このケーシング２の内部に、図１に示す回路基板２１を収容して構成する。この回路基板２１は、詳細な回路を省略したが、ＡＣ電源をＤＣ電源に変換する機能を有し、アダプタ本体部３からはＤＣ電源が出力するＤＣ出力ケーブル２２が導出する。ケーシング２は、図５に示すように、分割形状に形成した二つのケーシング半体２ｘと２ｙからなり、このケーシング半体２ｘと２ｙを組合わせて構成する。
【００２１】
また、ケーシング２には、電源プラグ部４を収容する収容凹部２３を設ける。収容凹部２３は、図４に示すように、面積の大きい一方の底面部２ｒから一方の側面部２ｐに至る切欠状に設ける。したがって、収容凹部２３が開口するのはケーシング２の二面、即ち、底面部２ｒと側面部２ｐのみである。収容凹部２３には、電源プラグ部４を幅の狭い側から収容できるようにし、収容凹部２３の形状及び大きさは、電源プラグ部４の長さ，横幅及び縦幅に、ほぼ一致させる。なお、２３ｓは、ケーシング２に設けた操作用凹部であり、この操作用凹部２３ｓに指を入れることにより、収容凹部２３に収容された電源プラグ部４を外へ押出すことができる。
【００２２】
さらに、ケーシング２には、収容凹部２３に電源プラグ部４を収容した際に、凸軸部７ａ，７ｂを回動自在に支持する軸受部２４ａ，２４ｂ（図１の仮想線）を一体形成する。したがって、収容凹部２３に電源プラグ部４を収容し、凸軸部７ａ，７ｂを軸受部２４ａ，２４ｂに装填した際には、電源プラグ部４は、アダプタ本体部３から突出する使用位置Ｘｓ又はこの使用位置Ｘｓから９０°回動させることによりアダプタ本体部３に格納する格納位置Ｘｒに回動変位可能となる。
【００２３】
一方、ケーシング２の内部に収容した回路基板２１には、各ピン接続部６ａ，６ｂの周面に接触可能なブラシ接続部８ａ，８ｂを取付ける。この場合、一方のブラシ接続部８ｂは、図２に示すように、全体を逆Ｕ形に形成し、一端に回路基板２１への取付部２５ｂを形成する。この取付部２５ｂは、回路基板２１に設けた孔部に挿入し又は回路基板２１を挟むことにより、回路基板２１の回路パターンに半田付けにより固定できる。図２中、２６ｂが半田付部を示す。これにより、同図に示すように、ブラシ接続部８ｂの他側をピン接続部６ｂの周面に圧接させることができる。なお、他方のブラシ接続部８ａも、上述したブラシ接続部８ｂと同様に取付ける。
【００２４】
また、凸軸部７ａ上には、電源プラグ部４を少なくとも使用位置Ｘｓ又は格納位置Ｘｒに停止可能なクリック機構部９を設ける。クリック機構部９は、図３に示すように、前述したクリック係合部１２と、このクリック係合部１２に係合するクリック係合受部３１により構成する。この場合、クリック係合部１２は、端面形状が正方形となる角柱状に形成し、四周面の各中央位置には、軸方向に沿った三角山状の係合凸部１２ｃ…を設ける。他方、クリック係合受部３１は、合成樹脂等の弾性材料により矩形枠形に形成し、長手方向に沿った二つの面の内面中央位置には、係合突部１２ｃ…が係合可能な三角谷状の係合凹部３１ｓ…を設ける。なお、クリック係合受部３１の長手方向両端は、それぞれケーシング半体２ｘ，２ｙの内面に形成した保持部（不図示）により位置決め保持される。
【００２５】
これにより、電源プラグ部４を使用位置Ｘｓ又は格納位置Ｘｒにクリック的に停止させることができる。この場合、クリック係合部１２は角柱状となるため、使用位置Ｘｓと格納位置Ｘｒの中間位置（角度４５°位置）でも停止することになるが、使用位置Ｘｓと格納位置Ｘｒでは、クリック係合部１２とクリック係合受部３１が面接触するため、安定に停止できる利点がある。
【００２６】
このＡＣアダプタ１における主要部分は、次のように組立てることができる。まず、各ブラシ接続部８ａ，８ｂを回路基板２１に取付け、この回路基板２１を一方のケーシング半体２ｘに収容する。次いで、電源プラグ部４のクリック係合部１２にクリック係合受部３１を図３に示すように装着し、電源プラグ部４を一方のケーシング半体２ｘにセットする。この場合、電源プラグ部４の凸軸部７ａ，７ｂを軸受部２４ａ，２４ｂに装着するとともに、クリック係合受部３１をケーシング半体２ｘの保持部に装着する。そして、他方のケーシング半体２ｙをケーシング半体２ｘに装着すればよい。
【００２７】
これにより、ケーシング２に収容されたアダプタ本体部３と、このアダプタ本体部３に付設し、アダプタ本体部３から突出する使用位置Ｘｓ又はこの使用位置Ｘｓから９０°回動させることによりアダプタ本体部３に格納する格納位置Ｘｒに選択的に変位可能な電源プラグ部４を備えるＡＣアダプタ１を得ることができる。
【００２８】
一方、このＡＣアダプタ１は、次のように操作することができる。まず、使用する際は、ケーシング２に設けた操作用凹部２３ｓに手の指を入れ、格納位置Ｘｒにある電源プラグ部４の一方のブレード部５ｂに指を掛けて押出すとともに、９０°回動操作することにより、図５に示す使用位置Ｘｓに変位させることができる。一方、使用位置Ｘｓにある電源プラグ部４を格納位置Ｘｒに変位させる際には、一方のブレード部５ｂを、押出した方向に対して反対方向へ手で押倒し、９０°回動操作すれば、図４に示す格納位置Ｘｒに変位させることができる。この場合、使用位置Ｘｓ及び格納位置Ｘｒでは、係合凸部１２ｃ…が係合凹部３１ｓ…に係止し、電源プラグ部４はクリック的に停止する。
【００２９】
よって、このような本実施形態に係るＡＣアダプタ１によれば、電源プラグ部４に、一対のブレード部５ａ，５ｂとそれぞれ導通する一対のピン接続部６ａ，６ｂを当該電源プラグ部４における凸軸部７ａ，７ｂの両側にそれぞれ突出させて設け、かつアダプタ本体部３に、各ピン接続部６ａ，６ｂの周面に接触可能なブラシ接続部８ａ，８ｂを設けたため、電源プラグ部４における回動軸部７の両側に応力が付加されることによる左右のバランスが確保され、電源プラグ部４の操作時における操作性，円滑性及び安定性を向上させることができるとともに、長期使用によるガタ付きの発生を防止できる。また、ピン接続部６ａ，６ｂとブラシ接続部８ａ，８ｂが接触する角度範囲が狭い範囲に限られる不具合が解消されるため、使用時において、電源プラグ部４が電源コンセントに十分に差し込まれず、電源プラグ部４が途中の回動角度で停止したような場合であっても、ピン接続部６ａ，６ｂとブラシ接続部８ａ，８ｂが接触しない不具合を回避でき、もって十分な信頼性を確保できる。特に、ピン接続部６ａ，６ｂを、使用位置Ｘｓ及び格納位置Ｘｒを含めてブラシ接続部８ａ，８ｂに常時接触するように、凸軸部７ａ，７ｂの中心位置に配したため、ピン接続部６ａ，６ｂとブラシ接続部８ａ，８ｂが接触しない不具合をより確実に回避でき、更なる高信頼性を確保できる利点がある。
【００３０】
次に、本発明に係るＡＣアダプタ１の変更実施形態について、図６及び図７を参照して説明する。
【００３１】
図６は、クリック機構部９の変更実施形態を示す。図６に示すクリック機構部９は、図３に示したクリック係合部１２及びクリック係合受部３１の代わりに、クリック係合部１２ｅ及びクリック係合受部３１ｅを用いたものである。この場合、クリック係合部１２ｅは、端面形状が円形となる円柱状に形成し、周方向に９０°間隔で軸方向に沿った半円状の係合凹部１２ｅｓ…を設けるとともに、クリック係合受部３１ｅは、合成樹脂等の弾性材料によりコの字形に形成し、対峙する一対の先端部に、係合凹部１２ｅｓ…に係合可能な半円山状の係合凸部３１ｅｃ…を設けて構成する。なお、クリック係合受部３１ｅはケーシング２の内面に固定することができる。
【００３２】
これにより、電源プラグ部４を使用位置Ｘｓ又は格納位置Ｘｒにクリック的に停止させることができる点は、図３に示したクリック機構部９と同様であるが、クリック係合部１２ｅを円柱状に形成したため、使用位置Ｘｓと格納位置Ｘｒの中間位置（角度４５°位置）で停止することはない。しかし、使用位置Ｘｓと格納位置Ｘｒにおいて、クリック係合部１２ｅとクリック係合受部３１ｅが十分に面接触しないため、停止時の安定性に劣る側面がある。なお、他の構成は図３に示した実施形態と同じである。したがって、図６において図３と同一部分には同一符号を付してその構成を明確にするとともにその詳細な説明は省略する。
【００３３】
図７は、ピン接続部６ａ，６ｂの変更実施形態、特に、ピン接続部６ｂ（６ａ側も同じ）の取付位置に係わる変更実施形態を示す。図７に示すピン接続部６ｂは、使用位置Ｘｓにおいてブラシ接続部８ｂに接触し、かつ格納位置Ｘｒでブラシ接続部８ｂから離間するように、凸軸部７ｂの中心から径方向にオフセットした位置に配したものである。
【００３４】
これにより、図７（ａ）に示す格納位置Ｘｒでは、ピン接続部６ｂがブラシ接続部８ｂから離間し、接続が解除される。一方、格納位置Ｘｒから９０°回動操作して図７（ｂ）に示す使用位置Ｘｓに変位させれば、オフセットした位置にあるピン接続部６ｂがブラシ接続部８ｂ側へ変位して当該ブラシ接続部８ｂに接触（圧接）し、接続状態となる。この変更実施形態では、特に、オフセット量を選定するなどにより、ピン接続部６ｂとブラシ接続部８ｂが接触する角度範囲を任意に設定することができ、ピン接続部６ｂとブラシ接続部８ｂが接触する角度範囲が狭い範囲に限られる不具合を解消しつつ、格納位置Ｘｒでピン接続部６ｂとブラシ接続部８ｂの接続を解除する機能を享受できる利点がある。なお、他の構成は図２に示した実施形態と同じである。したがって、図７において図２と同一部分には同一符号を付してその構成を明確にするとともにその詳細な説明は省略する。
【００３５】
以上、最良の実施形態について詳細に説明したが、本発明は、このような実施形態（変更実施形態）に限定されるものではなく、細部の構成，形状，材料，数量等において、本発明の要旨を逸脱しない範囲で、任意に変更，追加，削除することができる。
【００３６】
例えば、クリック機構部９は、凸軸部７ａ側に設けた場合を示したが、凸軸部７ｂ側に設けてもよい。一方、ピン接続部６ａ，６ｂを回動軸部７の中心から径方向にオフセットする場合を示したが、この場合、オフセットは、ピン接続部６ａと６ｂの双方に適用してもよいし一方にのみ適用してもよい。また、直線形のピン接続部６ａ…を凸軸部７ａ…のオフセット位置に配してもよいし、クランク形のピン接続部６ａ…を凸軸部７ａ…の中心位置に配してもよい。その他、ＡＣアダプタ１は各種用途に利用することができ、用途は限定されない。
【図面の簡単な説明】
【００３７】
【図１】本発明の最良の実施形態に係るＡＣアダプタの主要部の構成を明示する内部構造図、
【図２】図１中Ａ−Ａ線から見たピン接続部とブラシ接続部を含む内部構造図、
【図３】図１中Ｂ−Ｂ線から見たクリック機構部を含む内部構造図、
【図４】同ＡＣアダプタの外観底面図、
【図５】同ＡＣアダプタの外観側面図、
【図６】本発明に係るＡＣアダプタの変更実施形態によるクリック機構部を含む内部構造図、
【図７】本発明に係るＡＣアダプタの変更実施形態によるピン接続部とブラシ接続部を含む内部構造図、
【符号の説明】
【００３８】
１      ＡＣアダプタ
２      ケーシング
３      アダプタ本体部
４      電源プラグ部
５ａ…  ブレード部
６ａ…  ピン接続部
７      回動軸部
８ａ…  ブラシ接続部
９      クリック機構部
Ｘｓ    使用位置
Ｘｒ    格納位置
【図１】
2007103304.tif 000003
【図２】
2007103304.tif 000004
【図３】
2007103304.tif 000005
【図４】
2007103304.tif 000006
【図５】
2007103304.tif 000007
【図６】
2007103304.tif 000008
【図７】
2007103304.tif 000009